(57)【要約】【課題】床版部の段差部に互いに傾斜があるような部分においても、特殊な下地鋼板を用いることなく、屋根、バルコニー等の床版部に対するシート防水への適用性を向上させることのできる防水構造およびその施工方法を提供することを目的とする。【解決手段】屋根、バルコニー等の床面を形成する床版部上に防水シートを施工して床版部の防水をするようにした防水構造であって、段差を形成する床版部間には、各床版部の相対向する上縁部において、断面Ｌ字型をした下地鋼板が、各フランジ部を床版部の上面並びに側面に沿わせた状態で設けられていることを特徴とする。【選択図】　　　図１
2004003146.tif 000002
【特許請求の範囲】
【請求項１】
屋根、バルコニー等の床面を形成する床版部上に防水シートを施工して床版部の防水をするようにした防水構造であって、
段差を形成する床版部間には、各床版部の相対向する上縁部において、断面Ｌ字型をした下地鋼板が、各フランジ部を床版部の上面並びに側面に沿わせた状態で設けられていることを特徴とする屋根、バルコニー等の床版部の防水構造。
【請求項２】
屋根、バルコニー等の床面を、複数の床版部を組み合わせて構築し、これら床版部間に段差を設けて床面上に水勾配を設けるようにした床版部の防水構造であって、
前記床版部の段差部には、断面Ｌ字型をした一対の下地鋼板が、自身のフランジ部を対向させてかつフランジ部を段差部間の目地に差し込まれる形態で配置され、しかも、床版部上には、防水シートが設けられるとともに、床版部の段差部において、上流側の防水シートが下流側の防水シートに重ねられる形態で設けられていることを特徴とする屋根、バルコニー等の床版部の防水構造。
【請求項３】
請求項１もしくは２に記載の床版部の防水構造であって、床版部の段差部において、水勾配が直交する方向に床版部が設けられていることを特徴とする屋根、バルコニー等の床版部の防水構造。
【請求項４】
屋根、バルコニー等の床面を、複数の床版部を組み合わせて構築し、床版部間には下地鋼板を配置し、防水シートを敷設して床版部を防水施工する方法であって、
下地鋼板を断面Ｌ字型をしたアングル材より構成しておき、床版部の目地のすき間に前記アングル材のフランジ部を差し込んで床版部のすき間に下地鋼板を配置することを特徴とする屋根、バルコニー等の床版部の防水施工方法。
【請求項５】
請求項４に記載の床版部の防水施工方法において、床版部間に水勾配を形成するための段部を設けておき、下流側の床版部に配置される下地鋼板を設置する際に、床版部の防水シートの上から設置し、さらに目地のすき間をなくすように、この下地鋼板を上流側の下地鋼板に接するようにして配置することを特徴とする屋根、バルコニー等の床版部の防水施工方法。
【発明の詳細な説明】
【０００１】
【発明の属する技術分野】
本発明は、屋根、バルコニー等の床面を形成する床版部上に防水シートを施工して床版部の防水をするようにした防水構造に係り、特に、陸屋根部の上を防水シートで施工する防水技術に好適な屋根、バルコニー等の床版部の防水構造およびその施工方法に関する。
【０００２】
【背景の技術】
従来より、建物には、切妻屋根、寄棟屋根、陸屋根等種々の形態の屋根が設けられている。
例えば、切妻屋根は、大棟の両側にのみ傾斜屋根面を有する屋根であり、寄棟屋根は、大棟から４方向に向かう傾斜屋根面を有する屋根である。これらの屋根は、建物のデザインや地域性、住まう人の好み等により、その形態が選択され、またそれぞれの屋根の形態に応じて、雨樋等が軒側に位置して付設される。
ところで、このような住宅の屋根の一形態として、陸屋根の中央に切妻型の三角形の屋根を配置する構成のものがある（例えば特願２０００−２５２６２５「建物の屋根構造」など）。
【０００３】
この先行技術に開示されている屋根は、単純な飾り屋根ではなく、切妻屋根の小屋裏空間を通って、この小屋裏空間より陸屋根の屋上部分に出られるようにして、開放感のある屋上テラスを提供できる構成となっている。
【０００４】
【発明が解決しようとする課題】
ところで、上記した屋根構造は、傾斜屋根面を有する屋根本体を建物本体の上部平面部に置き、この建物本体の上部平面部のうち前記屋根本体の周囲を陸屋根部とした基本構造となっているため、切妻屋根や寄棟屋根のように、軒先に雨樋を設けるような構成を取ることができず、雨水の排水を陸屋根部において設ける構成としなければならない。
そして、屋根本体の小屋裏空間を大きくとるようにすれば、傾斜屋根面を有する屋根本体が必然的に大きくなり、これに反して周囲の陸屋根部の大きさが小さくなって、排水溝の設置に制限を受ける等の問題が生じる。また、このために陸屋根部の構造も複雑化するなどの問題があった。
【０００５】
そこで、本発明者等は、このような問題点を解決すべく鋭意研究した結果、図３に示すような屋根構造を発明した。
すなわち、この屋根は、傾斜屋根面を有する屋根本体１を図示せぬ建物本体の上部平面部２に置き、この建物本体の上部平面部２のうち前記屋根本体１の周囲を陸屋根部３とした建物の屋根構造において、四周の陸屋根部３Ａ、３Ｂを、その長さ方向中央部Ｍを高くして屋根の四隅Ｃに向けて下り勾配の水勾配を設けたものである。
このような構造の屋根とすれば、周囲の陸屋根部３Ａ、３Ｂの中央を高くして、四隅に向けて床版部に水勾配が設けられ、四隅の位置に排水溝４が設けられるので、床版部上を雨水が流れ、陸屋根部の四隅において、排水溝４を介して雨水を排水し得て、その排水溝部の設置スペースを小さくでき、また、陸屋根部の構造を複雑化させることがないとの効果を奏する。
【０００６】
ところが、図３に示すような屋根構造とした場合、陸屋根部３Ａ、３Ｂの直交する部分（図中Ｙ部）において、陸屋根部３Ａ、３Ｂを構成する床版部が互いに角度を持って段差部が設けられる形態となるため、この部分での防水構造が複雑化する等の新たな課題が生ずる。
【０００７】
従来、このような陸屋根部での防水施工は、例えば、シート防水による技術が適用されるが、この場合、床版部５の段差部には、下地鋼板６が設置され、この上に防水シートが設けられるが、床版部５の段差部に互いに傾斜がある場合には、図４に示すように、従来の下地鋼板６を適用すると、一部が床版部５よりも突出してしまい、その使用ができず、特殊な下地鋼板を作らなければならない等の問題点があった。
【０００８】
本発明は前記従来技術に鑑みてなされたもので、その目的とするところは、床版部の段差部に互いに傾斜があるような部分においても、特殊な下地鋼板を用いることなく、屋根、バルコニー等の床版部に対するシート防水への適用性を向上させることのできる防水構造およびその施工方法を提供することにある。
【０００９】
【課題を解決するための手段】
前述した技術的課題を解決するために本発明では、以下の構造とした。
すなわち、図１に示すように、請求項１にかかる発明は、屋根、バルコニー等の床面を形成する床版部５上に防水シート２０ａ、２０ｂを施工して床版部５の防水をするようにした防水構造であって、段差を形成する床版部５間には、各床版部５の相対向する上縁部５ａにおいて、断面Ｌ字型をした下地鋼板１５を、各フランジ部１５ａ、１５ｂを床版部５の上面並びに側面に沿わせた状態で設けたことを特徴としている（図２参照）。
【００１０】
すなわち、この請求項１にかかる床版部の防水構造によれば、断面Ｌ字型をした下地鋼板１５を、各フランジ部１５ａ、１５ｂが床版部５の上面並びに側面に沿う形態で配置されるため、下地鋼板１５のフランジ部１５ａ、１５ｂの高さに干渉を受けることなく、下地鋼板１５を床版部５の段差部に取り付けることができ、段差部Ｄにおいての防水シートの施工を容易に行うことができる。
【００１１】
また請求項２記載の発明では、屋根、バルコニー等の床面を、複数の床版部５を組み合わせて構築し、これら床版部５間に段差部Ｄを設けて床面上に水勾配を設けるようにした床版部５の防水構造であって、前記床版部５の段差部Ｄに、断面Ｌ字型をした一対の下地鋼板１５を、自身のフランジ部１５ａ、１５ｂを対向させかつフランジ部１５ａ、１５ｂを段差部Ｄ間の目地に差し込む形態で配置し、しかも、床版部５上には、防水シート２０ａ、２０ｂを設けるとともに、床版部５の段差部Ｄにおいて、上流側（図２右側）の防水シート２０ａを下流側（図２左側）の防水シート２０ｂに重ねる形態で設けたことを特徴としている。
【００１２】
そして、この請求項２にかかる床版部の防水構造によれば、床版部５間に段差部Ｄを設けて床面上に水勾配を設けるようにした床版部５において、断面Ｌ字型をした一対の下地鋼板１５のフランジ部１５ａ、１５ｂを床版部の段差部Ｄ間の目地に差し込むことにより、下地鋼板１５を設置するので、下地鋼板１５のフランジ部の高さに干渉を受けることなく、下地鋼板１５を床版部５の段差部Ｄに取り付けることができ、段差部Ｄにおいての防水シート２０ａ、２０ｂの施工を容易に行うことができる。
【００１３】
ここで、本発明では、床版部５の段差部Ｄにおいて、水勾配が直交する方向に床版部５を設けた構成であることが好ましい。
この構成では、床版部５間に傾斜のある（左右で高さの異なる）段差が設けられるような形態においても、下地鋼板１５は、フランジ部が目地の中に差し込まれる形態となって、床版部より突出することがないので、特殊な下地鋼板を設ける必要がないといった利点がある。
【００１４】
さらに請求項４記載の発明方法では、屋根、バルコニー等の床面を、複数の床版部５を組み合わせて構築し、床版部５間には下地鋼板１５を配置し、防水シート２０ａ、２０ｂを敷設して床版部５を防水施工する方法であって、下地鋼板１５を断面Ｌ字型をしたアングル材より構成しておき、床版部５の目地のすき間に前記アングル材のフランジ部１５ａ、１５ｂを差し込んで床版部５のすき間に下地鋼板１５を配置するように構成した。
この構成では、下地鋼板１５を断面Ｌ字型をしたアングル材より構成して、このアングル材のフランジ部１５ａ、１５ｂを、床版部５の目地のすき間に差し込むことにより、下地鋼板１５を設置するので、下地鋼板１５の取付施工が容易であり、また下地鋼板１５のフランジ部１５ａ、１５ｂはすき間に差し込まれることにより、フランジ部１５ａ、１５ｂが突出することがない。
【００１５】
ここで請求項４に記載の床版部の防水施工方法において、床版部５間に水勾配を形成するための段差部Ｄを設けておき、下流側の床版部５に配置される下地鋼板１５を設置する際に、この下地鋼板１５を床版部５の防水シート２０ｂの上から設置し、さらに目地のすき間をなくすように、この下地鋼板１５を上流側の下地鋼板１５に接するようにして配置すれば、床版部５間のすき間を下地鋼板１５で覆うことができるので、好ましい。
【００１６】
【発明の実施の形態】
以下、本発明の実施形態を図面に基づいて説明する。
【００１７】
図１に示すように、この実施形態の床版部５の防水構造は、屋根、バルコニー等の床面を、複数の床版部５を組み合わせて構築し、これら床版部５間に段差部Ｄを設けて床面上に水勾配を設けるようにした床構造に適用され、前記床版部５の段差部Ｄには、断面Ｌ字型をした一対の下地鋼板１５が、自身のフランジ部１５ａ、１５ｂを対向させかつフランジ部１５ａ、１５ｂを段差部Ｄ間の目地に差し込まれる形態で配置されていることを基本構造としている。
そして、前記床版部５上には、図２に示すように防水シート２０が設けられるとともに、床版部５の段差部Ｄにおいて、上流側の防水シート２０ａが下流側の防水シート２０ｂに重ね合わされる形態で設けられていることを特徴としている。
【００１８】
なお、この床版部５は、例えば図３に示す屋根構造の陸屋根部の床を構築するもので、図面全体では分からないが、矩形をしたＡＬＣ版などにより構成されて、鉄骨で組まれたフレームの上に適当な水勾配を持つように配置され、さらにこれらＡＬＣ版が並べられて屋根等の陸屋根部を構成するようになっている。
実施例では、図３に示す陸屋根部３Ａ、３Ｂが交差する位置の床版部５に、本発明構造が適用された例を示し、下地鋼板１５は断面Ｌ字型をしたアングル材によりなり、床版部５の目地のすき間に前記アングル材のフランジ部１５ａ、１５ｂを差し込んで床版部５のすき間に下地鋼板１５が配置されるようになっている。
そして、下地鋼板１５のフランジ部１５ａ、１５ｂはそれぞれ、床版部５の上面および側面に沿うような形態で配置され、また上流側に位置する下地鋼板１５は、ここに段差ができないように床版部５の一部を窪ませた凹部５ｄに納まるように設けられている。
【００１９】
次に、図２に示すように、この床版部の防水構造を構成するには、まず矩形をしたＡＬＣ版（床版部５）を屋根面の割付けに沿って敷設する。
次いで、床版部５の段差部に位置して、下地鋼板１５を取り付ける。この取付は、段差の長さに応じて所定寸法に形成した断面Ｌ字型の下地鋼板１５、１５のフランジ部１５ｂ、１５ｂを床版部５の目地部に差し込むようにして取り付け、各フランジ部１５ａ、１５ｂを床版部５の上面、側面に沿わせた状態に配置する。
【００２０】
ここで、下流側の床版部５に配置される下地鋼板１５は、その設置の際に、床版部５上に予め、防水シート２０ｂを施工しておき、この防水シート２０ｂの上から、この下地鋼板１５を設置する。
そして、床版部間の目地のすき間をなくすように、この下地鋼板１５を上流側の下地鋼板１５に接するようにして配置すれば良い。
【００２１】
上流側（図２右側）に位置する防水シート２０ａは、上記の下地鋼板１５の取り付け後、これら下地鋼板１５を覆うようにして、下流側に位置する防水シート２０ｂの上に重ね、熱溶着等の所定の手段により固定する。
これにより、図２に示すような防水構造が完成する。
【００２２】
実施例では、床版部５間に段差部Ｄを設けて床面上に水勾配を設けるようにした床版部において、断面Ｌ字型をした一対の下地鋼板１５のフランジ部１５ａ、１５ｂを床版部の段差部Ｄ間の目地に差し込むことにより、下地鋼板１５を設置するので、下地鋼板１５のフランジ部の高さに干渉を受けることなく、下地鋼板１５を床版部５の段差部に取り付けることができ、段差部においての防水シートの施工を容易に行うことができる。
【００２３】
また実施例では、下地鋼板１５を断面Ｌ字型をしたアングル材より構成して、このアングル材のフランジ部１５ａ、１５ｂを、床版部５の目地のすき間に差し込むことにより、下地鋼板１５を設置する単純施工であるので、下地鋼板１５の取付施工が容易であり、また下地鋼板１５のフランジ部１５ａ、１５ｂはすき間に差し込まれることにより、フランジ部１５ａ、１５ｂが突出することがない。さらに実施例では、床版部５間に水勾配を形成するための段差部Ｄを設けておき、下流側の床版部５に配置される下地鋼板１５を設置する際に、この下地鋼板１５を床版部５の防水シート２０ｂの上から設置し、さらに目地のすき間をなくすように、この下地鋼板１５を上流側の下地鋼板１５に接するようにして配置しているため、床版部５間のすき間を下地鋼板１５で確実に覆うことができる利点がある。
【００２４】
なお、本発明は上記実施例の形態に限定されるものではなく、本発明の目的を達成できる範囲での変形、改良等は本発明に含まれるものである。
【００２５】
【発明の効果】
以上のように本発明によれば、床版部の段差部に互いに傾斜があるような部分においても、特殊な下地鋼板を用いることなく、屋根、バルコニー等の床版部に対するシート防水への適用性を向上させることのできる防水構造およびその施工方法を提供することができる。
【図面の簡単な説明】
【図１】本発明の実施形態の床版部の防水構造が適用された床版部の斜視図である。
【図２】本発明の実施形態の床版部の防水構造が適用された床版部の断面図である。
【図３】従来技術を説明するために示した屋根の斜視図である。
【図４】従来技術を説明するために示した床版部の斜視図である。
【符号の説明】
３Ａ、３Ｂ　　　陸屋根部
５　　　　　　　床版部
１５　　　　　　下地鋼板
１５ａ、１５ｂ　フランジ部
２０ａ、２０ｂ　防水シート
【図１】
2004003146.tif 000003
【図２】
2004003146.tif 000004
【図３】
2004003146.tif 000005
【図４】
2004003146.tif 000006